(57)【要約】【課題】着座した人の身体を直接に支持可能なアウターシェル１０を背受けユニットに直接に取り付けている椅子において、アウターシェル１０の取り付けを迅速かつ確実ならしめる。【手段】アウターシェル１０は、ピン状の補助部材２８を有する背支柱部１８ｃと取り付け穴２９との組み合わせからなる第１嵌合手段と、下向き開口の挟持部３３と水平軸部１８ａとの組み合わせから第２嵌合手段と、段部３６ａを有する係合部３６とによって取り付けられる。補助部材２８と取り付け穴２９との嵌まり合いによってアウターシェル１０の姿勢が保持され、その状態でアウターシェル１０を下方に押し込むことにより、挟持部３３と水平軸部１８ａとが係合すると共に、ケース１７の後部下端縁１７ａが段部３６ａに引っ掛かり係合する。【選択図】図１１
2007143961.tif 000002
【特許請求の範囲】
【請求項１】
座と、着座した人の背もたれ荷重を支持する強度のメインサポートを有する背もたれと、前記背もたれが取り付く背受けユニットとを備えており、前記背もたれのメインサポートと前記背受けユニットとに、メインサポートを略上方から下方に又は略後方から前方に移動させることによって互いに嵌まり合って両者を前後相対動不能に保持する取り付け手段が設けられており、
更に、前記取り付け手段は少なくとも第１嵌合手段と第２嵌合手段との少なくとも２種類の嵌合手段を備えており、これら両嵌合手段は、互いに嵌まり合うと前後方向に相対動不能となる雄形嵌合部と雌形嵌合部との対から成っている椅子であって、
前記第１嵌合手段と第２嵌合手段とは、上下位置と左右位置とを互いにずらして設けられていると共に、第１嵌合手段における雄形嵌合部と雌形嵌合部との嵌まり合い長さが第２嵌合手段における雄形嵌合部と雌形嵌合部との嵌まり合い長さよりも長くなっており、第１嵌合手段の雄形嵌合部と雌形嵌合部とが嵌まりあった状態でメインサポートを移動させると第２嵌合手段の雄形嵌合部と雌形嵌合部とが嵌まり合うように設定している、
背もたれ付き椅子。
【請求項２】
前記背受けユニットは、前記メインサポートの下部の裏側に配置した硬さ調節用摘まみの回転操作によってばね力が変化するばね手段に抗して後傾動するように座受けベースに取り付けられており、この背受けユニットに、前記第１嵌合手段の雄形嵌合部である左右一対の背支柱が、正面視で左右に振り分けた状態に配置されている一方、
前記メインサポートは合成樹脂によってシェル状に形成されており、このメインサポートの下端寄り部位には、前記第１嵌合手段の雌形嵌合部である下向き開口の取り付け穴を形成しており、
更に、前記メインサポートの前面部のうち前記取り付け穴の下端よりも下方の部位でかつ前記硬さ調節用摘まみの左右両側の部位に、前記第２嵌合手段の雌形嵌合部として、側面視で下向きに開口した挟持部が形成されており、背受けユニットには、前記第２嵌合手段の雄形嵌合部として、前記挟持部が弾性に抗しての変形によって上方から嵌まり込む水平軸部が設けられており、
かつ、前記メインサポートの下部に、前記硬さ調節用摘まみのボス部を貫通させている、
請求項１に記載した背もたれ付き椅子。
【請求項３】
前記ばね手段は圧縮コイルばねであり、前記背受けユニットは、前記コイルばねを覆う略下向き開口のケースを備えており、このケースの後部から前記水平軸部が左右に張り出してその先端に前記支柱部が折り曲げ形成されており、支柱部には、前記取り付け穴の内部に嵌入する合成樹脂製でピン状の保護部材が装着されている一方、
前記メインサポートの下端部でかつ前面部に、メインサポートを背受けユニットから上向き動しない状態に保持する係合手段として、前記ケースの後部下端縁に下方から引っ掛かる段部を形成しており、第１嵌合手段及び第２嵌合手段が互いに嵌合するとメインサポートの弾性変形によって前記段部がケースの後部下端縁に下方から引っ掛かるように設定している、
請求項２に記載した背もたれ付き椅子。
【発明の詳細な説明】
【技術分野】
【０００１】
本発明は、背もたれを備えた椅子に関するものである。
【背景技術】
【０００２】
椅子には様々の形態・構造があり、例えば事務用等に多用されている回転椅子では、脚支柱に取り付けた座受けベースで座を支持すると共に、座受けベースにばね手段に抗して後傾動する背支持フレームを取り付け、背支持フレームに設けた背支柱に背もたれを取り付けていることが多い。
【０００３】
背もたれの構造も様々であるが、一例として、本願出願人は、特許文献１において、背もたれの全体を合成樹脂製として、その下部を背支持フレームの背支柱に差し込むと共に、金属板製のストッパーによって背もたれの上向き動を阻止してなる構成を開示した。
【特許文献１】特開２００５−２１１４６７号公報
【発明の開示】
【発明が解決しようとする課題】
【０００４】
椅子の運搬や保管で最も問題になるのは、密度の割に嵩張ることである。従って、幾つかの部品に分離していた簡単に組み立てできる構成であると、保管や流通段階での取り扱いのコストを抑制でき、また、ノックダウン方式による製造も簡単に採用できる利点がある。特に、背もたれの高さが高いハイバック仕様の場合、メリットがより強く発揮される。
【０００５】
そして、前記先願に開示された構成によると、背もたれの取り付けを簡単に行えるため、保管や搬送、或いは組み立てに要するコストや手間を軽減できて好適である。
【０００６】
本願発明は、この先願に開示された構成を更に発展させて、背もたれの取り付けの容易性を一層向上させることを課題とするものである。
【課題を解決するための手段】
【０００７】
本願発明の椅子は、座と、着座した人の背もたれ荷重を支持する強度のメインサポートを有する背もたれと、前記背もたれが取り付く背受けユニットとを備えており、前記背もたれのメインサポートと前記背受けユニットとに、メインサポートを略上方から下方に又は略後方から前方に移動させることによって互いに嵌まり合って両者を前後相対動不能に保持する取り付け手段が設けられており、更に、前記取り付け手段は少なくとも第１嵌合手段と第２嵌合手段との少なくとも２種類の嵌合手段を備えており、これら両嵌合手段は、互いに嵌まり合うと前後方向に相対動不能となる雄形嵌合部と雌形嵌合部との対から成っている。
【０００８】
そして、請求項１では、前記第１嵌合手段と第２嵌合手段とは、上下位置と左右位置とを互いにずらして設けられていると共に、第１嵌合手段における雄形嵌合部と雌形嵌合部との嵌まり合い長さが第２嵌合手段における雄形嵌合部と雌形嵌合部との嵌まり合い長さよりも長くなっており、第１嵌合手段の雄形嵌合部と雌形嵌合部とが嵌まりあった状態でメインサポートを移動させると第２嵌合手段の雄形嵌合部と雌形嵌合部とが嵌まり合うように設定している。
【０００９】
請求項２の発明は請求項１をより具体化したものであり、この発明では、前記背受けユニットは、前記メインサポートの下部の裏側に配置した硬さ調節用摘まみの回転操作によってばね力が変化するばね手段に抗して後傾動するように座受けベースに取り付けられており、この背受けユニットに、前記第１嵌合手段の雄形嵌合部である左右一対の背支柱が、正面視で左右に振り分けた状態に配置されている一方、前記メインサポートは合成樹脂によってシェル状に形成されており、このメインサポートの下端寄り部位には、前記第１嵌合手段の雌形嵌合部である下向き開口の取り付け穴を形成している。
【００１０】
更に、前記メインサポートの前面部のうち前記取り付け穴の下端よりも下方の部位でかつ前記硬さ調節用摘まみの左右両側の部位に、前記第２嵌合手段の雌形嵌合部として、側面視で下向きに開口した挟持部が形成されており、背受けユニットには、前記第２嵌合手段の雄形嵌合部として、前記挟持部が弾性に抗しての変形によって上方から嵌まり込む水平軸部が設けられており、かつ、前記メインサポートの下部に、前記硬さ調節用摘まみのボス部を貫通させている。
【００１１】
請求項３の発明は請求項２を更に具体化したもので、この発明では、前記ばね手段は圧縮コイルばねであり、前記背受けユニットは、前記コイルばねを覆う略下向き開口のケースを備えており、このケースの後部から前記水平軸部が左右に張り出してその先端に前記支柱部が折り曲げ形成されており、支柱部には、前記取り付け穴の内部に嵌入する合成樹脂製でピン状の保護部材が装着されている一方、前記メインサポートの下端部でかつ前面部に、メインサポートを背受けユニットから上向き動しない状態に保持する係合手段として、前記ケースの後部下端縁に下方から引っ掛かる段部を形成しており、第１嵌合手段及び第２嵌合手段が互いに嵌合するとメインサポートの弾性変形によって前記段部がケースの後部下端縁に下方から引っ掛かるように設定している。
【発明の効果】
【００１２】
本願発明によると、背もたれは一定方向に移動させることで第１嵌合手段と第２嵌合手段との２種類の嵌合手段の雄形嵌合部と雌形嵌合部とが互いに嵌合して、背もたれは背受けユニットに対して相対的に前後動しない（ロッキング椅子の場合は、背受けユニットと背もたれとが一緒に後傾する）状態に保持される。
【００１３】
この場合、第１嵌合手段と第２嵌合手段とで雄形嵌合部と雌形嵌合部との嵌まり合い方向は同じであるため、背もたれは例えば下向きのような一方向に単純に押し込めば良く、このため、取り付け作業は頗る楽であると共に、取り付けも確実に行われる。また、背もたれを背受けユニットに取り付けた状態で、第１嵌合手段と第２嵌合手段とが上下と左右とに離反しているため、着座した人が背もたれにもたれ掛かることによって生じる背もたれ荷重（モーメント）が特定箇所に集中することを防止して、高い支持強度を確保することができる。
【００１４】
従って本願発明によると、背もたれの取り付け強度を確保しつつ、背もたれの取り付け作業（延いては椅子の組み立て作業）の能率と確実性とを向上させることができる。
【００１５】
請求項２のように構成すると、ばね手段の硬さ（弾力）を調節するための摘まみを利用して背もたれを背受けユニットから離脱不能に保持できるため、例えば背もたれを上向きに引っ張って背受けユニットから外れるようなことはない。
【００１６】
更に請求項３のように構成すると、背支柱を構成する樹脂製保護部材の緩衝作用により、背もたれにおけるメインサポートの狭い部分に応力が集中することをより一層防止でき、また、メインサポートの段部とケースとからなる係合手段の存在により、ビス等の固定手段を設けることなく背もたれのガタ付きを防止できる利点がある。
【発明を実施するための最良の形態】
【００１７】
(1).椅子の概要
次に、本願発明の実施形態を図面に基づいて説明する。本願発明は事務用に多用される回転椅子に適用しており、まず、図１〜図５に基づいて概要を説明する。図１は椅子の正面図、図２のうち（Ａ）は後ろから見た平面図、（Ｂ）は左側面図、図３のうち（Ａ）は背もたれを構成するアウターシェル（メインサポート）の前方からの斜視図、（Ｂ）はアウターシェルを後方から見た部分的な斜視図、図４は部材の分離斜視図、図５は一部を省略した平面図である。
【００１８】
椅子は、脚１と座２と背もたれ３と肘掛け装置４とを備えている（肘掛け装置４は左右一対あるが、図では片方しか表示していない。）。脚１は、ガスシリンダから成る脚支柱５と放射状に延びる複数本（５本）の枝足を備えており、各枝足６の先端にはキャスターを設けている。
【００１９】
脚支柱５の上端には上向きに開口した座受けベース６が取付けられており、この座受けベース６の上面に座受けシェル７が取付けられており、更に、この座受けシェル７に座２が取付けられている。座受けベース６の左側面からは、背もたれ３を後傾動可能な状態と後傾動不能な状態とに切り換えるためのロックレバー８が露出しており、また、座受けベース６の前方には、座２の高さ調節を行うための昇降レバー９が露出している。昇降レバー９は、座２の前部の下面に沿って左右方向に長く延びている。
【００２０】
背もたれ３は、メインサポートの一例として、合成樹脂製のアウターシェル１０を備えている。アウターシェル１０は、着座した人の背中を支持する背当て部１０ａと着座した人の腰部を支持する腰当て部１０ｂとが上下に連続した形態に形成されており、更に、アウターシェル１０は座１よりも下方に延びる下部１０ｃを有しており、この下部１０ｃが取り付け機能を司っている。図３に示すように、アウターシェル１０の下部１０ｃは正面視で下向き凸で丸みを帯びた山形に形成されている。背当て部１０ａと腰当て部１０ｂとの前面には、それぞれクッション体１１，１２を装着している。
【００２１】
例えば図３に示すように、背もたれ３の背当て部１０ａはその上部が最も広巾で下方に向けて横幅が小さくなる略逆台形状に形成されている一方、腰当て部１０ｂは正面視で略楕円状に形成されており、このため、背当て部１０ａと腰当て部１０ｂとの境界部は正面視で滑らかなカーブを描いてくびれたプロフィールになっている。
【００２２】
また、図２（Ａ）から理解できるように、腰当て部１０ｂの左右側部は、背当て部１０ａよりも手前に張り出すと共に側面視で前向き凸の山形に形成されており、この腰当て部１０ｂの左右側部が他の部分よりも遥かに肉厚が大きい厚肉部１０ｄになっている。厚肉部１０ｄは下部１０ｃの一部まで延びている。
【００２３】
座受けベース６には、図４に示す背受けユニット１３が後傾動可能に取り付けられており、背受けユニット１３に背もたれ３のアウターシェル１０が取り付けられており、かつ、背受けユニット１３はばねユニット１４で弾性的に支持されている。また、ばねユニット１４はカバー１５で下方から覆われている。以下、図６も参照して背もたれ３の取り付け構造を説明する。
【００２４】
(2).背もたれの取り付け構造
図７は背受けユニット１３と背もたれ３との分離正面図、図８は背受けユニット１３に背もたれ３を取り付けた状態での一部破断正面図でかつ図１０の VIIIA-VIIIA視図、図９は背もたれ３の底面図、図１０のうち（Ａ）は図８の XA-XA視断面図、（Ｂ）は（Ａ）の B-B視断面図、図１１のうち（Ａ）は図７の XIA-XIA視図から見た状態での背もたれの取り付け途中の断面図、（Ｂ）（Ｃ）は背もたれを取り付けた状態での図８の XIB-XIB視断面図及び XIC-XIC視断面図、（Ｄ）は背受けユニット１３の背面図である。
【００２５】
本実施形態の座受けベース６は、アルミダイカストのような金属又は樹脂の成形品である（勿論、板金製品でも良い）。座２は、合成樹脂製のシェル状座板にクッションを張った構造になっており、詳細は省略するが、座板が座受けシェル９に取り外し可能に取付けられている。
【００２６】
図４や図５に示すように、背受けユニット１３は、金属丸棒を折り曲げて形成した平面視略Ｕ字状のフレーム体１６と、フレーム体１６の後端部に溶接によって固着したブロック状のケース（ハウジング）１７と、ケース１７に側方から差し込んで固定された左右一対の金属丸棒製の棒部材１８とを備えている。フレーム体１６はその後端部をケース１７に挿入してねじで固定されている。なお、フレーム体１６及び棒部材１８はパイプ製でも良いし、また、その断面形状は角形等でもよい。
【００２７】
ケース１７は例えばアルミダイキャストような成形品であり（樹脂製品や板金製品でも良い）、例えは図６から推測できるように、上面部と左右側面部と後面部とを有して下向きに開口した形態になっている。ケース１７は複数の部材からなっていてもよい。
【００２８】
背受けユニット１３におけるフレーム体１６の左右長手の前端部は回動軸１６ａになっており、この回動軸１６ａが座受けベース６に回転可能に取付けられている。具体的には、図５及び図６に示すように、座受けベース６の内部に、回動軸１６ａに下方から重なる下軸受け１９と上方から重なる上軸受け２０とを重ねて配置し、両軸受け１９，２０を押さえ部材２１によって離脱不能に保持している。
【００２９】
押さえ部材２１は、座受けベース６に形成したボス部２２の上面にビス２３で固定されている。上下の軸受け１９，２０はずれないように互いに嵌まり合っている。また、本実施形態では、下軸受け１９は昇降レバー９の抜け止めと軸受けの機能も備えている。
【００３０】
図４に概略を示すように、座受けベース６の後部には、左右両側部を上下長手に形成した樹脂製のガイド部材２４が差し込み装着されている。背受けユニット１３は、前記したガイド部材２４により、左右ずれ不能に保持されている。また、図６に示すように、背受けユニット１３のフレーム体１６は、座受けベース６にビス止めされた左右長手の金属製ステー２５により、上向き回動が阻止されている。
【００３１】
図４及び図６に示すように、前記ロックレバー８には、座受けベース６の内部に位置した左右一対のストッパー２６が相対回転不能に取付けられている。ストッパー２６は背受けユニット１３におけるフレーム体１６の前後長手部の下方に位置しており、ロックレバー８を回転してストッパー２６を起立姿勢と横向き倒れ姿勢とに変えることにより、背受けユニット１３が後傾可能状態と後傾不能状態とに切り換えられる。図６では回動不能なロック状態を表示している。
【００３２】
詳細は省略するが、左右ストッパー２６の下方には、座受けベース６の底部にずれ不能に配置された受け部材２７を配置している。受け部材２７は弾性変形してストッパー２６に嵌脱する係合部２７ａを備えており、係合部２７ａの作用により、ストッパー２６はロック姿勢に保持される。ロック機構については特別の工夫をしているので、後述する。
【００３３】
図４や図７に示すように、背受けユニット１３の棒部材１８は金属丸棒製であり、左右方向に延びる水平軸部１８ｃとその先端から傾斜部１８ｂを介して上向きに立ち上がった支柱部１８ｃとを備えており、支柱部１８ｃはアウターシェル１０の厚肉部１０ｄまで延びている。支柱部１８ｃには、合成樹脂製の補助部材２８強制嵌合又はビス止めによって抜け不能に嵌め込んでおり、図８や図７に示すように、補助部材２８が、アウターシェル１０の厚肉部１０ｄに形成された下向き開口の取り付け穴２９に下方から嵌め込まれている。
【００３４】
本実施形態では、補助部材２８を有する支柱部１８ｃと取り付け穴２９とが請求項１に記載した第１嵌合手段を構成している。なお、補助部材２８は必ずしも必要はなく、棒部材１８の支柱部１８ｃを背支柱としてこれと取り付け穴２９とで第１嵌合手段を構成することも可能である。
【００３５】
補助部材２８は、支柱部１８ｃに嵌まるストレート部筒２８ａと、その上端に一体に形成された小径で先窄まりテーパ状の軸部２８ｂとを備えており、小径軸部２８ｂには、複数の環状突起２８ｃを一体に形成しており、ストレート筒部２８ａと環状突起２８ｃの群とに接する外接円が全体としてテーパ状になっている。また、小径軸部２８ａの先端（或いは先端の環状突起２８ｃ）は丸みを帯びている。他方、アウターシェル１０の取り付け穴２９も、補助部材２８の形状に対応してストレート部２９ａとテーパ部２９ｂとを有している。
【００３６】
人が背もたれ３にもたれ掛かっていないニュートラル状態では、左右棒部材１８の支柱部１８ｃ及び補助部材２８は、正面視では鉛直方向に平行に延びていて側面視では同一に重なった状態で鉛直方向に延びている。従って、アウターシェル１０を補助部材２８に下方に嵌め込むと、アウターシェル１０は補助部材２８のストレート筒部２８ａにガイドされて真下に移動する。
【００３７】
補助部材２８のストレート筒部２８ａと取り付け穴２９のストレート部２９ａとの上下方向の嵌まり合い長さは、背受けユニット１３における棒部材１８の外径寸法よりも大きくなっている。
【００３８】
図１０（Ａ）に示すように、アウターシェル１０の厚肉部１０ｄのうち平面視で取り付け穴２９を挟んだ略左右両側には下向きに開口した逃がし穴３０を形成している。これは、成形に際しての厚肉部１８ｄにヒケが発生したり応力が不均一になることを抑制するためである。
【００３９】
例えば図３，７，８，１１に示すように、アウターシェル１０の下部前面には、下端縁よりも上方において左右に延びる横長リブ３２が突設されており、この横長リブ３２に連続した状態で、背受けユニット１３における棒部材１８の水平軸部１８ａに上方から嵌まる側面視下向き開口の挟持部３３が一体形成されている。挟持部３３における開口縁の間隔は棒部材１８の外径寸法よりもやや小さい寸法になっており、従って、挟持部３３は、自身の弾性変形により、棒部材１８の水平軸部１８ａに嵌合（係合）する。本実施形態では、挟持部３３と水平軸部１８とが請求項１に記載した第２嵌合手段を構成している。
【００４０】
アウターシェル１０の下部の周縁部のうち横長リブ３２の両端と取り付け穴２９との間の部位は、棒部材１８の傾斜部１８ｂに上方から嵌まる溝状になっており、この溝状部を、図３，７，８において符号３４で示している。溝状部３４の存在により、アウターシェル１０と背受けユニット１３の棒部材１８と位置決めが機能が向上している。
【００４１】
例えば図３，６，７に示すように、アウターシェル１０の下端部のうち横長リブ３２の下方には、アウターシェル１０の左右中間部に位置した円形の貫通穴３５が空いており、更に、貫通穴３５を挟んだ両側には、リブ群からなる箱状で上下長手の係合部３６が突設されており、この係合部３６に、図１１（Ｃ）に示すように、背受けユニット１３におけるケース１７の後部下端縁１７ａが上方から載る段部３６ａを形成している。ケース１７の後面は係合部３６の前面に重なるようになっている。
【００４２】
人が背もたれ３にもたれ掛かっていないニュートラル状態では、背受けユニット１３における棒部材１８の傾斜部１８ｂ、ケース１７の後面、係合部３６の前面はそれぞれ側面視において同じ角度で前傾している。
【００４３】
アウターシェル１０を背受けユニット１３に取り付けるに当たっては、左右の取り付け穴２９を背受けユニット１３における左右の補助部材２８に嵌め入れて、下方に強く押し込めば良い。この嵌め込みの初期においては、補助部材２８の上がテーパ状であることにより、補助部材２８に対する取り付け穴２９の誘い込みが行われて、取り付け穴２９は補助部材２８のテーパ部２８ａにスムースに嵌まり込む。
【００４４】
そして、補助部材２８のストレート筒部２８ａと取り付け穴２９のストレート部２９ａとの嵌まり合い長さが背受けユニット１３における棒部材１８の外径寸法よりも大きいため、アウターシェル１０は正確に姿勢を保持された状態で下向き移動して、挟持部３３が棒部材１８の水平軸部１８ａに嵌まり込む。
【００４５】
そして、アウターシェル１０の挟持部３３が棒部材１８に嵌まり込む終期において、アウターシェル１０の弾性変形により、ケース１７の後部下端縁１７ａが係合部３６の段部３６ａに係合する（引っ掛かる）。これにより、アウターシェル１０は背受けユニット１３に取り付けられる。
【００４６】
なお、アウターシェル１０は鉛直下向きに移動するのに対して、アウターシェル１０の係合部３６とケース１７の後面とは前傾しているため、棒部材１８の水平軸部１８ａが挟持部３３に嵌まり込んだ後にケース１７の後部下端縁が係合部３６における段部３６ａの前端に当たることになり、従って、段部３６ａの存在によって挟持部３３と水平軸部１８ａとの嵌合が損なわれることはない。
【００４７】
着座した人が背もたれ３にもたれ掛かると、棒部材１８の支柱部１８ｃに装着した補助部材２８には後方に倒す外力が作用するが、本実施形態では、補助部材２８はストレート部２８ａと３段の環状突起２８ｃとの４箇所でアウターシェル１０の取り付け穴２９に当たっているため、取り付け穴２９の特定の部位に応力が集中することを防止して、背もたれ荷重に対する支持強度（耐久性）を向上できる利点がある。また、補助部材２８が合成樹脂製であって多少は弾性変形すること（すなわち、緩衝すること）も、応力集中を抑制している。
【００４８】
また、着座した人が背もたれ３にもたれ掛かると、アウターシェル１０にはケース１７の後部下端縁１７ａを中心にして後傾しようとするモーメントが生じるが、挟持部３３はケース１７の後部下端縁１７ａに近くて挟持部３３に作用するモーメントは小さいため、挟持部３３が折損するようなことはない。また、背もたれ荷重はアウターシェル１０の係合部３６をケース１７に密着させるように作用するので、背もたれ荷重によって段部３６ａがケース１７から外れるような不都合もない。
【００４９】
なお、背受けユニット１３を構成するケース１７の後部下端縁の左右中間部には下向きの突起１７ｂが形成されている一方、カバー１５には、突起１７ｂに嵌まる穴３７が形成されている（図６，１１，４参照）。
【００５０】
(3).ばねユニット
次に、主として図４と図６とに基づいてばねユニット１４について説明する。ばねユニット１４は、ばね体の一例としての圧縮コイルばね４０と、この圧縮コイルばね４０を手前から受ける前部ばね受け４１と、圧縮コイルばね４０を後部から受ける後部ばね受け４２と、前後ばね受け４１，４２に嵌まった調節ロッド（調節ボルト）４３と、調節ロッド４３に後方から嵌まった硬さ調節用摘まみ（ハンドル又はレバーといってもよい）４４と、前部ばね受け４１に手前側から嵌まった軸支部材４５とを備えている。
【００５１】
軸支部材４５は、合成樹脂製の受け部材４６を介して座受けベース６の後端部で支持されている。軸支部材４５と受け部材４６との接触面は側断面で円弧状に形成されているため、軸支部材４５の回動が許容され、かつ、上下離脱不能に保持されている。図示していないが、軸支部材４５と前部ばね受け４１との嵌合部は断面角形（非円形）であり、このため、前部ばね受け４１は回転不能に保持されており、かつ、前部ばね受け４１は軸支部材４５に対して前後スライド自在に嵌まっている。
【００５２】
他方、後部ばね受け４２は、背受けユニット１３におけるケース１７の空所に入り込んでいる。また、後部ばね受け４２には、調節ロッド４３が嵌まる筒状のボス部４２ａが後向きに突設されており、ボス部４２ａは、ケース１７に設けた穴から後方に露出している。
【００５３】
前部ばね受け４１にはナット４７を回転不能に埋め込んでおり、このナット４７に調節ロッド４３がねじ込まれている。また、調節ロッド４３の前端部にはスペーサ４８が嵌まっており、スペーサ４８は軸支部材４５に内装されている。調節ロッド４３の前端面には、座金がビス４９で固定されている。
【００５４】
調節ロッド４３の後端には六角等の非円形の頭４３ａを一体に設けており、この頭４３ａに硬さ調節用摘まみ４４のボス部４４ａを嵌め込んでいる。頭４３ａへの硬さ調節用摘まみ４４の嵌め込みは後方から押し込むことで行われる（硬さ調節用摘まみ４４の取り付け構造の詳細は後述する）。硬さ調節用摘まみ４４のボス部４４ａはアウターシェル１０の貫通穴３５に遊嵌している。
【００５５】
硬さ調節用摘まみ４４のボス部４４ａがアウターシェル１０の貫通穴３５に嵌まっているため、仮に係合部３６がケース１７から離脱しても、背もたれ３が背受けユニット１３から外れることはない。なお、硬さ調節用摘まみ４８のボス部４４ａを貫通穴３５に嵌め込むことに代えて、ロッド４３が貫通している他の部材を貫通穴３５に嵌め込んでも良い。
【００５６】
本実施形態では、硬さ調節用摘まみ４４は全体に丸みを帯びつつ硬さ調節用摘まみ４４と直交した方向に長手の略卵形に形成されている。図６では、圧縮コイルばね４０の初期弾性力が最も弱い状態に近い状態を示しており、この状態から硬さ調節用摘まみ４４を回転操作すると、前部ばね受け４１が引っ張られて後方に移動し、初期弾性力が強くなる。また、初期弾性力を最も弱い状態にするとスペーサ４８がストッパーになって、前部ばね受け４１の前進動が阻止される。
【００５７】
着座した人が背もたれ３にもたれ掛かると、背受けユニット１３の傾動支点とばねユニット１４の傾動支点とが相違することに起因して後部ばね受け４２は手前側に押され、これにより、背もたれ３は圧縮コイルばね４０を圧縮変形させながら後傾動する。背もたれ３の後傾動に際してばねユニット１４も後傾動し、かつ、後部ばね受け４２は調節ロッド４３と相対的に摺動する。
【００５８】
(4).硬さ調節用摘まみの詳細
次に、硬さ調節用摘まみ４４の取り付け構造の詳細を図１２に基づいて説明する。図１２のうち（Ａ）は図６と同じ部分の拡大図、（Ｂ）は（Ａ）のＢ−Ｂ視断面図、（Ｃ）は（Ａ）のＣ−Ｃ視断面図である。
【００５９】
既述のとおり、硬さ調節用摘まみ４４は、筒状のボス部４４ａを有する前部部材５０とこれに嵌まり合った後部部材５１とから成っており、両者は、ボス部４４ａの内部から挿入した皿ビス５２で固定されている。そして、ボス部４４ａの内部の断面を略六角とすることにより、調節ロッド４３の頭４３ａを相対回転不能に保持すると共に、相対向する２辺の箇所に山形の突起を有する係止爪５３を形成することにより、後方からの差し込みによって調節ロッド４３に取り付けてている（また、ある程度の力を掛けると抜き外すことができる。）。
【００６０】
係止爪５３の先端はボス部４４ａの開口面よりも奥に位置している。そして、調節ロッド４３の首寄り部分に、ボス部４４ａの内面に外接するリング５４を嵌め込んでいる。このリング５４の存在により、調節ロッド４３として通常のボルトを使用してしかも着脱が簡単でありながら、硬さ調節用摘まみ４４はガタ付きのない状態に保持される。
【００６１】
(5).ロック機構の詳細
次に、ロックレバー８によるロック機構の詳細を図１３〜図１５に基づいて説明する。図１３は平面図、図１４のうち（Ａ）は図１３の XIVA-XIVA視断面図、（Ｂ）は図１３の XIVB-XIVB視断面図、図１５のうち（Ａ）は図１３の XVA-XVA視断面図、（Ｂ）は（Ａ）のＢ−Ｂ視断面図である。
【００６２】
ロックレバー８には回転軸５６が相対回転不能に取り付けられており、回転軸５６には、当該回転軸５６に潰し形成したヒレ片５７の噛み合いにより、左右一対のストッパー２６が相対回転不能に取り付けられている。
【００６３】
ストッパー２６は、受け部材２７で支持されている。受け部材２７は合成樹脂製であり、側面視凹凸状で上下方向に撓み変形可能な係合部２７ａが形成されている一方、ストッパー２６には、受け部材２７の係合部２７ａに嵌まり合う凹凸部２６ａが形成されており、凹凸部２６ａと係合部３６との噛み合いにより起立状態（ロック姿勢）が保持される。図１４（Ａ）の状態からある程度の力を掛けて回転軸５６を左回転させると、ストッパー２６はその前面が受け部材２７の上面に重なると共に、係合部３６と凹凸部２６ａとが噛み合って、ロック解除状態が保持される。
【００６４】
ロックレバー８の回転軸５６は、座受けベース６に回転自在に支持し、かつ、抜け不能に保持する必要がある。そして、回転軸５６は、座受けベース６の一側板（図１３で左がわの側板）に空けた穴に回転自在に嵌まっていると共に、先端部は、座受けベース６の内部に形成したリブ５８の凹所５９（貫通穴でも良い）に回転可能に嵌まっている。
【００６５】
回転軸５６の先端５６ａは座受けベース６の内部に位置していたリブ５８から僅かに露出しており、この先端部５６ａに形成した環状溝に、抜け止め手段としてスナップリング６０を嵌め込んでいる。回転軸５６の先端部は座受けベースの内部に隠れているため美観に優れている。
【００６６】
ロックレバー８は、ボス部６１ａを有する内側部材６１とこれに嵌合した外側部材６２とから成っていて両者はビス６３で固定されており、外側部材６２に形成した筒部６２ａを、ボス部６１ａの開口縁の近くまで伸ばしている。
【００６７】
そして、回転軸５６へのロックレバー８の取り付け方法として、回転軸５６に、先端に行くに従って高さが低くなるように傾斜したヒレ片６４を潰し加工にて形成する一方、外側部材６２に形成した筒部６２ａに、回転軸５６のヒレ片６４が摺動自在に嵌合する長溝６５を形成し、更に、内側部材６１におけるボス部６１ａの内周に、弾性変形によってヒレ片６４が乗り越えて係合する爪部６６を形成している。
【００６８】
回転軸５６は外側部材６２にガタ付き不能に保持され、かつ、取り付けに際してヒレ片６４は爪部６６を乗り越えるだけであるため、取り付けを軽い力でしかも確実に行える。
【００６９】
(6).その他
本願発明は、上記の実施形態の他にも様々に具体化することができる。例えば背受けユニットの形態はデザイン等の要請に基づいて任意に変更できる。アウターシェルのうち取付け穴よりも下方の部位を背受けユニットで支持する態様としては、左右中間部のみを背受けユニットで支持しても良い。
【００７０】
更に、本願発明は、座が背もたれの後傾動に連動して後退動及び後傾動するシンクロ構造の椅子に適用したり、或いは、背もたれが後傾動しない（ロッキングしない）固定タイプの椅子に適用することも可能である。背受けユニットの支柱部とアウターシェルの取付け穴とは左右に隔てて３つ以上設けることも可能である。また、メインサポートはシェル状の形態には限らず、前後に開口したフレーム状等の各種の形態を採用できるし、また、素材にも限定はなく、金属製等も採用できる。
【００７１】
更に、嵌合手段を３種類以上設けることも可能であり、かつ、雄形嵌合部と雌形嵌合部との配置は任意に設定できる（例えば、アウターシェルに雄形嵌合部を形成して背受けユニットに雌形嵌合部を形成することも可能である）。
【図面の簡単な説明】
【００７２】
【図１】本願発明の実施形態に係る椅子の椅子の正面図である。
【図２】(A) は椅子の平面図、 (B)は左側面図である。
【図３】背もたれのアウターシェル１０の斜視図である。
【図４】部材の分離斜視図である。
【図５】座を省略した状態での平面図である。
【図６】背受けユニットとばねユニットとアウターシェル１０との関係を示す縦断側面図である。
【図７】背受けユニットと背もたれとの分離正面図である。
【図８】背受けユニットに背もたれを取り付けた状態での一部破断正面図でかつ図１０の VIIIA-VIIIA視図である。
【図９】背もたれの底面図である。
【図１０】(A) は図８の XA-XA視断面図、(B) は(A) の B-B視断面図である。
【図１１】（Ａ）は図７の XIA-XIA視図から見た状態での背もたれの取り付け途中の断面図、（Ｂ）（Ｃ）は背もたれを取り付けた状態での図８の XIB-XIB視断面図及び XIC-XIC視断面図、（Ｄ）は背受けユニット１３の背面図である。
【図１２】硬さ調節用摘まみの取り付け構造を示す断面図である。
【図１３】ロック機構を示す平面図である。
【図１４】（Ａ）は図１３の XIVA-XIVA視断面図、（Ｂ）は図１３の XIVB-XIVB視断面図、
【図１５】（Ａ）は図１３の XVA-XVA視断面図、（Ｂ）は（Ａ）のＢ−Ｂ視断面図である。
【符号の説明】
【００７３】
２  座
３  背もたれ
６  座受けベース
１０  メインサポートの一例としてのアウターシェル
１３  背受けユニット
１４  ばねユニット
１８  背受けユニットを構成する棒部材
１８ａ  棒部材において第２係合手段の一環を成す水平軸部
１８ｃ  棒部材の支柱部
１８  第１嵌合手段の一環として背支柱の一部を構成する補助部材
２９  第１嵌合手段の一環を成す取り付け穴
３３  第２嵌合手段を構成する挟持部
【図１】
2007143961.tif 000003
【図２】
2007143961.tif 000004
【図３】
2007143961.tif 000005
【図４】
2007143961.tif 000006
【図５】
2007143961.tif 000007
【図６】
2007143961.tif 000008
【図７】
2007143961.tif 000009
【図８】
2007143961.tif 000010
【図９】
2007143961.tif 000011
【図１０】
2007143961.tif 000012
【図１１】
2007143961.tif 000013
【図１２】
2007143961.tif 000014
【図１３】
2007143961.tif 000015
【図１４】
2007143961.tif 000016
【図１５】
2007143961.tif 000017